(57)【特許請求の範囲】
【請求項１】
筒状のホルダと、このホルダ内に配置されたレンズと、前記ホルダの下部に固着された基板と、前記ホルダ内に位置した状態で、前記基板上に固着された撮像素子とを備え、前記ホルダは、前記撮像素子上に位置する筒状内周部の天面部と、この天面部から前記撮像素子側に突出する突部と、前記天面部よりも外側に設けられ、前記基板上に延びる筒状外周部を有し、前記突部が前記撮像素子の上面に当接した状態で、前記天面部と前記撮像素子との間、及び前記筒状外周部と前記基板との間が接着剤を介して固着され、
前記ホルダの前記筒状内周部は前記筒状外周部から間隔を置いて内方に位置し、前記天面部と前記突部が前記筒状内周部の下面に設けられたことを特徴とするカメラモジュール。
【請求項２】
前記突部は、間隔を置いて複数個設けられると共に、前記突部から離れた位置で、前記天面部と前記撮像素子との間が前記接着剤を介して固着されたことを特徴とする請求項１記載のカメラモジュール。
【請求項３】
前記筒状内周部は四角筒状に形成され、前記突部が四角筒状の３辺の下面にそれぞれ１個設けられたことを特徴とする請求項１，又は２記載のカメラモジュール。
【請求項４】
前記天面部と前記撮像素子との間の隙間寸法が１５〜２５μｍに設定されたことを特徴とする請求項１から３の何れか１項に記載のカメラモジュール。
【発明の詳細な説明】
【技術分野】
【０００１】
本発明は、携帯電話機等に使用して好適なカメラモジュールに関するものである。
【背景技術】
【０００２】
図４は従来のカメラモジュールに係り、一部を分解した断面図であり、次に、従来のカメラモジュールの構成を図４に基づいて説明すると、鏡筒５１は、外周面にねじ部５１ａを有すると共に、この鏡筒５１内には、レンズ５２が取り付けられている。
【０００３】
筒状のホルダ５３は、中心部に設けられた貫通孔５３ａと、この貫通孔５３ａの内面に設けられたねじ部５３ｂを有し、このホルダ５３のねじ部５３ｂには、鏡筒５１のねじ部５１ａが螺合している。
【０００４】
板状の赤外線除去フィルタ（ＩＲカットフィルタ）５４は、ホルダ５３内に取り付けられると共に、絶縁材からなる基板５５は、ホルダ５３の下部を塞ぐように配置されて、この基板５５とホルダ５３の下面が接着剤５６によって固着されている。
【０００５】
撮像素子５７は、ホルダ５３内の基板５５上に接着剤によって固着されると共に、良好な画像を得るために、鏡筒５１をホルダ５３にねじ込み、或いはねじ戻しを行って、レンズ５２と撮像素子５７の間の距離を調整するようになって、従来のカメラモジュールが形成されている（例えば、特許文献１参照）。
【特許文献１】米国特許第６４８３１０１号公報
【発明の開示】
【発明が解決しようとする課題】
【０００６】
しかし、従来のカメラモジュールにあっては、鏡筒５１とホルダ５３にねじ部５１ａ、５３ｂが設けられ、鏡筒５１を回転してレンズ５２の位置調整を行うため、製造工程が多くなってコスト高になるばかりか、近年の小型化の要求に伴い、接着剤５６によるホルダ５３と基板５５間の固着だけでは、ホルダ５３と基板５５間の固着強度が弱く、剥がれが生じるという問題がある。
【０００７】
本発明は、このような従来技術の実情に鑑みてなされたもので、その目的は、生産性が良く、安価で、固着強度の大きなカメラモジュールを提供することにある。
【課題を解決するための手段】
【０００８】
上記の目的を達成するために、本発明は、筒状のホルダと、このホルダ内に配置されたレンズと、前記ホルダの下部に固着された基板と、前記ホルダ内に位置した状態で、前記基板上に固着された撮像素子とを備え、前記ホルダは、前記撮像素子上に位置する筒状内周部の天面部と、この天面部から前記撮像素子側に突出する突部と、前記天面部よりも外側に設けられ、前記基板上に延びる筒状外周部を有し、前記突部が前記撮像素子の上面に当接した状態で、前記天面部と前記撮像素子との間、及び前記筒状外周部と前記基板との間が接着剤を介して固着され、前記ホルダの前記筒状内周部は前記筒状外周部から間隔を置いて内方に位置し、前記天面部と前記突部が前記筒状内周部の下面に設けられたことを特徴としている。
【０００９】
このように構成した本発明は、撮像素子に当接する接着剤が介在しない突部の存在によって、レンズと突部の間の寸法を設定するだけで、レンズと撮像素子間の距離を一定にすることができ、ねじ部の形成や調整作業が不要となって、生産性が良く、安価なものが得られると共に、予めホルダの加工誤差を実験検証によって把握して、レンズと突部の間の寸法を設定すれば、極めて精度の良いレンズと撮像素子間の距離が得られ、また、ホルダは、基板と撮像素子との間で接着剤によって固着されているため、近年の小型化の要求にあっても、ホルダと基板間の固着強度が大きくなって、剥がれの無いものが得られる。
【００１１】
また、このように構成した本発明は、天面部と突部が筒状内周部の下面に設けられたことによって、接着剤の広がりを抑えることができて、固着の良好なものが得られる。
【００１２】
また、本発明は、上記発明において、突部は、間隔を置いて複数個設けられると共に、突部から離れた位置で、天面部と撮像素子との間が接着剤を介して固着されたことを特徴としている。
【００１３】
このように構成した本発明は、複数個の突部の存在によって、ホルダに対する撮像素子の姿勢が安定すると共に、突部から離れた位置で固着されることによって、突部の下面への接着剤の進入を防止できて、精度の良い距離が得られる。
【００１４】
また、本発明は、上記発明において、筒状内周部は四角筒状に形成され、突部が四角筒状の３辺の下面にそれぞれ１個設けられたことを特徴としている。
【００１５】
このように構成した本発明は、ホルダに対する撮像素子の姿勢のより安定したものが得られる。
【００１６】
また、本発明は、上記発明において、天面部と撮像素子との間の隙間寸法が１５〜２５μｍに設定されたことを特徴としている。
【００１７】
このように構成した本発明は、天面部と撮像素子との間の隙間を極めて小さくできて、撮像素子側への埃の進入を効果的に防止できる。
【発明の効果】
【００１８】
本発明は、撮像素子に当接する接着剤が介在しない突部の存在によって、レンズと突部の間の寸法を設定するだけで、レンズと撮像素子間の距離を一定にすることができ、ねじ部の形成や調整作業が不要となって、生産性が良く、安価なものが得られると共に、ホルダは、基板と撮像素子との間で接着剤によって固着されているため、近年の小型化の要求にあっても、ホルダと基板間の固着強度が大きくなって、剥がれの無いものが得られる。
【発明を実施するための最良の形態】
【００１９】
発明の実施の形態について図面を参照して説明すると、図１は本発明のカメラモジュールに係る要部断面図、図２は本発明のカメラモジュールに係り、ホルダと撮像素子の固着状態を示す断面図、図３は本発明のカメラモジュールに係るホルダの下面図である。
【００２０】
次に、本発明のカメラモジュールに係る構成を図１〜図３に基づいて説明すると、筒状のホルダ１は、熱可塑性の絶縁樹脂からなり、中心部に設けられた貫通孔２と，外周部に位置する筒状外周部３と、この筒状外周部３から間隔を置いて内方に設けられ、筒状外周部３よりも低く形成された筒状内周部４と、この筒状内周部４の下面である天面部５と、この天面部５から下方に突出する複数個（例えば３個）の突部６と、筒状内周部４の内方に設けられた段部７を有する。
【００２１】
また、筒状内周部４は、図３に示すように、四角筒状をなし、突部６が３辺の下面にそれぞれ設けられており、そして、後述するように、突部６から離れた位置（斜線部分の３カ所）に接着剤１２が存在するようになっている。
【００２２】
なお、この実施例では、天面部５と突部６が筒状内周部４の下面に設けられたもので説明したが、この筒状内周部４を無くして、筒状外周部３の下面から段差を持って形成された内面段差部を設け、この内面段差部の下面を天面部とすると共に、内面段差部の下面に突部を設けても良い。
【００２３】
レンズ８は、ホルダ１内の前方に取り付けられると共に、四角形のガラス板からなる赤外線除去フィルタ（ＩＲカットフィルタ）９は、ホルダ１内の段部７の位置で取り付けられている。
【００２４】
絶縁材からなる基板１０上には、撮像素子１１が接着剤等によって固着されると共に、この基板１０は、撮像素子１１をホルダ１内に配置した状態で、ホルダ１の下部を塞ぐようにホルダ１に取り付けられている。
【００２５】
そして、基板１０，撮像素子１１へのホルダ１の取り付けを説明すると、先ず、筒状外周部３の下面と対向する基板１０上には、環状に接着剤１２を設けると共に、筒状内周部４の突部６から離れた下面（天面部５）と対向した撮像素子１１の上面には、例えば３箇所に接着剤１２を設ける。
【００２６】
次に、ホルダ１の突部６を撮像素子１１の上面に当接した状態で、天面部５と撮像素子１１の上面との間、及び筒状外周部３の下面と基板１０の上面との間は、接着剤１２を介して固着されるようになると共に、突部６が撮像素子１１の上面に当接した際、天面部５と撮像素子１１との間の隙間寸法は、１５〜２５μｍに設定されており、これによって、撮像素子１１上に設けられた接着剤１２の広がりが抑えられると共に、埃等の撮像素子１１側への進入を防止できる。
【図面の簡単な説明】
【００２７】
【図１】本発明のカメラモジュールに係る要部断面図である。
【図２】本発明のカメラモジュールに係り、ホルダと撮像素子の固着状態を示す断面図である。
【図３】本発明のカメラモジュールに係るホルダの下面図である。
【図４】従来のカメラモジュールに係り、一部を分解した断面図である。
【符号の説明】
【００２８】
１  ホルダ
２  貫通孔
３  筒状外周部
４  筒状内周部
５  天面部
６  突部
７  段部
８  レンズ
９  赤外線除去フィルタ
１０  基板
１１  撮像素子
１２  接着剤
【図１】
0004805705.tif 000002
【図２】
0004805705.tif 000003
【図３】
0004805705.tif 000004
【図４】
0004805705.tif 000005